【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
複数のユニバーサルデジタルターミナルアダプタ（ＵＤＴＡ）を制御するための方法であって、
制御に利用可能なＵＤＴＡのリストを提供するステップと、
前記ＵＤＴＡのリスト内のＵＤＴＡのうちの１つまたは複数のためのコントロールを提供するステップと、
を含む、前記方法。
【請求項２】
前記ＵＤＴＡのリスト内の前記ＵＤＴＡのうちの１つまたは複数のための前記コントロールを介してコマンドを受信するステップと、
前記コマンドを実行するステップと、
をさらに含む、請求項１に記載の方法。
【請求項３】
前記制御に利用可能なＵＤＴＡのリストはユーザからのコマンドに応答して提供される、請求項１に記載の方法。
【請求項４】
前記ユーザからの前記コマンドは前記ユーザに提供されるプロンプトに応答して受信される、請求項３に記載の方法。
【請求項５】
前記制御に利用可能なＵＤＴＡの提供されるリストは、利用可能なＵＤＴＡの各々に関する追加情報をさらに含む、請求項１に記載の方法。
【請求項６】
前記ＵＤＴＡの各々に関する前記追加情報は、ユニット識別子、ＭＡＣアドレス、ユニットアドレス、および前記ＵＤＴＡが現在同調されているチャネルとのうちの１つまたは複数を備える、請求項５に記載の方法。
【請求項７】
制御に利用可能なＵＤＴＡに関する追加情報を提供するためのテキストボックスを提供するステップをさらに含む、請求項１に記載の方法。
【請求項８】
前記追加情報は、ユーザプロンプト、診断情報、およびデバッグ情報とのうちの１つまたは複数を備える、請求項７に記載の方法。
【請求項９】
前記提供されるテキストボックスはユーザからコマンドを受信するようにさらに構成される、請求項７に記載の方法。
【請求項１０】
前記ＵＤＴＡのリスト内の前記ＵＤＴＡのうちの１つまたは複数のための前記提供されるコントロールは、オン、オフ、リセット、詳細情報、チャネルアップ、チャネルダウン、および直接チャネル入力のうちの１つまたは複数を備える、請求項１に記載の方法。
【請求項１１】
前記ＵＤＴＡのリスト内の前記ＵＤＴＡのうちの１つまたは複数のための前記提供されるコントロールは、すべての前記利用可能なＵＤＴＡを制御するためのグローバルコマンドを備える、請求項１に記載の方法。
【請求項１２】
前記グローバルコマンドは、端末をクリア、リストに追加、リストをリフレッシュ、すべてリセット、および順次に同調のうちの１つまたは複数を備える、請求項１１に記載の方法。
【請求項１３】
制御に利用可能なＵＤＴＡのリストを提供するステップと、
前記ＵＤＴＡのリスト内のＵＤＴＡのうちの１つまたは複数のためのコントロールを提供するステップと、
を実行するための命令を含む、コンピュータ読取可能記録媒体。
【請求項１４】
複数のユニバーサルデジタルターミナルアダプタ（ＵＤＴＡ）と、
前記複数のＵＤＴＡに接続されたコンピュータと、
前記複数のユニバーサルデジタルターミナルアダプタ（ＵＤＴＡ）を制御するためのユーザインタフェースと、
を備えたシステムであって、前記ユーザインタフェースは、
制御に利用可能なＵＤＴＡのリストを表示するためのフィールドと、
前記フィールドのリストに列挙された前記ＵＤＴＡのためのコントロールと、
を備える、前記システム。
【請求項１５】
前記複数のＵＤＴＡおよび前記コンピュータを接続するデジタルポートサーバをさらに備える、請求項１４に記載のシステム。
【手続補正２】
【補正対象書類名】明細書
【補正対象項目名】００３５
【補正方法】変更
【補正の内容】
【００３５】
最も好ましくは、本発明の原理は、ハードウェア、ファームウェア、ソフトウェア、またはそれらの任意の組合せで実装され得る。さらに、そのソフトウェアは好ましくは、プログラム記憶ユニットまたはコンピュータ読取可能媒体で有形に実施されるアプリケーションプログラムとして実装される。「機械読取可能媒体」はデータを記憶することができる媒体であり、デジタル回路、アナログ回路、またはそれらの組合せの形でもよいことが当業者には認識されよう。アプリケーションプログラムは、任意の適切なアーキテクチャを備える機械にアップロード可能でありおよびそれによって実行可能である。好ましくは、その機械は、１つまたは複数の中央処理装置（「ＣＰＵ」）、メモリ、および入力／出力インターフェースなどのハードウェアを有するコンピュータプラットフォームに実装される。そのコンピュータプラットフォームはまた、オペレーティングシステムおよびマイクロ命令コードも含み得る。本明細書に記載の様々なプロセスおよび機能は、そのようなコンピュータまたはプロセッサが明示的に示されていてもいなくても、ＣＰＵによって実行され得る、マイクロ命令コードの部分かアプリケーションプログラムの部分、またはそれらの任意の組合せでもよい。加えて、様々な他の周辺ユニットが、追加データ記憶ユニットおよび印刷ユニットなどのコンピュータプラットフォームに接続され得る。
［付記１］
複数のユニバーサルデジタルターミナルアダプタ（ＵＤＴＡ）を制御するための方法であって、
制御に利用可能なＵＤＴＡのリストを提供するステップと、
前記ＵＤＴＡのリスト内のＵＤＴＡのうちの１つまたは複数のためのコントロールを提供するステップと、
を含む、前記方法。
［付記２］
前記ＵＤＴＡのリスト内の前記ＵＤＴＡのうちの１つまたは複数のための前記コントロールを介してコマンドを受信するステップと、
前記コマンドを実行するステップと、
をさらに含む、付記１に記載の方法。
［付記３］
前記制御に利用可能なＵＤＴＡのリストはユーザからのコマンドに応答して提供される、付記１に記載の方法。
［付記４］
前記ユーザからの前記コマンドは前記ユーザに提供されるプロンプトに応答して受信される、付記３に記載の方法。
［付記５］
前記制御に利用可能なＵＤＴＡの提供されるリストは、利用可能なＵＤＴＡの各々に関する追加情報をさらに含む、付記１に記載の方法。
［付記６］
前記ＵＤＴＡの各々に関する前記追加情報は、ユニット識別子、ＭＡＣアドレス、ユニットアドレス、および前記ＵＤＴＡが現在同調されているチャネルとのうちの１つまたは複数を備える、付記５に記載の方法。
［付記７］
制御に利用可能なＵＤＴＡに関する追加情報を提供するためのテキストボックスを提供するステップをさらに含む、付記１に記載の方法。
［付記８］
前記追加情報は、ユーザプロンプト、診断情報、およびデバッグ情報とのうちの１つまたは複数を備える、付記７に記載の方法。
［付記９］
前記提供されるテキストボックスはユーザからコマンドを受信するようにさらに構成される、付記７に記載の方法。
［付記１０］
前記ＵＤＴＡのリスト内の前記ＵＤＴＡのうちの１つまたは複数のための前記提供されるコントロールは、オン、オフ、リセット、詳細情報、チャネルアップ、チャネルダウン、および直接チャネル入力のうちの１つまたは複数を備える、付記１に記載の方法。
［付記１１］
前記ＵＤＴＡのリスト内の前記ＵＤＴＡのうちの１つまたは複数のための前記提供されるコントロールは、すべての前記利用可能なＵＤＴＡを制御するためのグローバルコマンドを備える、付記１に記載の方法。
［付記１２］
前記グローバルコマンドは、端末をクリア、リストに追加、リストをリフレッシュ、すべてリセット、および順次に同調のうちの１つまたは複数を備える、付記１１に記載の方法。
［付記１３］
複数のユニバーサルデジタルターミナルアダプタ（ＵＤＴＡ）を制御するためのユーザインタフェースであって、
制御に利用可能なＵＤＴＡのリストを表示するためのフィールドと、
前記フィールドのリストに列挙された前記ＵＤＴＡのためのコントロールと、
を備える、前記ユーザインタフェース。
［付記１４］
前記フィールドのリストに列挙された前記ＵＤＴＡのための前記コントロールはユーザによって選択可能なボタンを備える、付記１３に記載のユーザインタフェース。
［付記１５］
前記制御に利用可能なＵＤＴＡの表示されたリストは、前記利用可能なＵＤＴＡの各々に関する追加情報をさらに備える、付記１３に記載のユーザインタフェース。
［付記１６］
前記ＵＤＴＡの各々に関する前記追加情報は、ユニット識別子、ＭＡＣアドレス、ユニットアドレス、および前記ＵＤＴＡが現在同調されているチャネルのうちの１つまたは複数を備える、付記１５に記載のユーザインタフェース。
［付記１７］
制御に利用可能なＵＤＴＡに関する追加情報を提供するためのテキストボックスをさらに備える、付記１３に記載のユーザインタフェース。
［付記１８］
前記追加情報は、ユーザプロンプト、診断情報、およびデバッグ情報のうちの１つまたは複数を備える、付記１７に記載のユーザインタフェース。
［付記１９］
前記提供されるテキストボックスはユーザからコマンドを受信するようにさらに構成される、付記１７に記載のユーザインタフェース。
［付記２０］
前記ＵＤＴＡのリスト内の前記ＵＤＴＡのうちの１つまたは複数のための前記コントロールは、オン、オフ、リセット、詳細、チャネルアップ、チャネルダウン、および直接チャネル入力のうちの１つまたは複数を備える、付記１３に記載のユーザインタフェース。
［付記２１］
前記ＵＤＴＡのリスト内の前記ＵＤＴＡのうちの１つまたは複数のための前記提供されるコントロールは、すべての前記利用可能なＵＤＴＡを制御するためのグローバルコマンドを備える、付記１３に記載のユーザインタフェース。
［付記２２］
前記グローバルコマンドは、端末をクリア、リストに追加、リストをリフレッシュ、すべてリセット、および順次に同調のうちの１つまたは複数を備える、付記２１に記載のユーザインタフェース。
［付記２３］
制御に利用可能なＵＤＴＡのリストを提供するステップと、
前記ＵＤＴＡのリスト内のＵＤＴＡのうちの１つまたは複数のためのコントロールを提供するステップと、
を実行するための命令を含む、コンピュータ読取可能媒体。
［付記２４］
複数のユニバーサルデジタルターミナルアダプタ（ＵＤＴＡ）と、
前記複数のＵＤＴＡに接続されたコンピュータと、
前記複数のユニバーサルデジタルターミナルアダプタ（ＵＤＴＡ）を制御するためのユーザインタフェースと、
を備えたシステムであって、前記ユーザインタフェースは、
制御に利用可能なＵＤＴＡのリストを表示するためのフィールドと、
前記フィールドのリストに列挙された前記ＵＤＴＡのためのコントロールと、
を備える、前記システム。
［付記２５］
前記複数のＵＤＴＡおよび前記コンピュータを接続するデジタルポートサーバをさらに備える、付記２４に記載のシステム。